(57)【要約】【課題】空気砲を備えて構成される簡単な装置を用いて、被伝達者が違和感なくかつ嗅ぎやすい形で、感知可能な香りを被伝達者に伝達する香気伝達方法を提供する。【解決手段】香気を含む渦輪を空気砲から射出することにより香気を被伝達者に伝達する香気伝達方法を提案する。この香気伝達方法では、空気砲１１の射出口３０から０．２ｍ以上、１ｍ未満の距離にいる被伝達者に向けて、微小液滴を含ませて視認可能にした渦輪を、口径１．５ｃｍ以上、５ｃｍ以下の射出口３０から秒速０．３ｍ以上、秒速１ｍ以下の飛行速度で射出する。【選択図】図１
2019154627.tif 000002
【特許請求の範囲】
【請求項１】
香気を含む渦輪を空気砲から射出することにより前記香気を被伝達者に伝達する香気伝達方法であって、
前記空気砲の射出口から０．２ｍ以上、１ｍ未満の距離にいる前記被伝達者に向けて、微小液滴を含ませて視認可能にした渦輪を、口径１．５ｃｍ以上、５ｃｍ以下の前記射出口から秒速０．３ｍ以上、秒速１ｍ以下の飛行速度で射出することを特徴とする香気伝達方法。
【請求項２】
前記被伝達者が前記射出口から０．２ｍ以上、１ｍ未満の範囲内のいずれか位置にいることをセンサで検知したことに基づいて前記渦輪を射出する、請求項１に記載の香気伝達方法。
【請求項３】
前記被伝達者が前記空気砲に備わった発射スイッチを操作して前記渦輪を射出する、請求項１または２に記載の香気伝達方法。
【請求項４】
前記香気が香料を含む微粒子と湿気とから構成され、前記微小液滴がプロピレングリコールを主成分とする微小液滴である、請求項１から３のいずれか１項に記載の香気伝達方法。
【請求項５】
前記香気が香料を含む微粒子から構成され、前記微小液滴が水を主成分とする微小液滴であり、前記渦輪に光を照射する、請求項１から３のいずれか１項に記載の香気伝達方法。
【請求項６】
前記被伝達者が買い物客である、請求項１から５のいずれか１項に記載の香気伝達方法。
【請求項７】
香気を含む渦輪を空気砲から射出することにより前記香気を被伝達者に伝達する香気伝達装置であって、
渦輪に香気を付与する香気発生装置と、前記渦輪に微小液滴を含ませ視認可能にする微小液滴発生装置と、前記渦輪を射出するための射出口と、前記射出口から前記渦輪を射出するための加圧装置と、前記射出口から０．２ｍ以上、１ｍ未満の範囲内のいずれかの位置に前記被伝達者がいるか否かを検出するセンサと、を備え、
前記射出口の口径が１．５ｃｍ以上、５ｃｍ以下であり、前記センサが前記位置に前記被伝達者がいることを検出したことに基づいて前記加圧装置が秒速０．３ｍ以上、秒速１ｍ以下の飛行速度で渦輪を前記射出口から射出することを特徴とする香気伝達装置。
【請求項８】
香気を含む渦輪を空気砲から射出することにより前記香気を被伝達者に伝達する香気伝達装置であって、
渦輪に香気を付与する香気発生装置と、前記渦輪に微小液滴を含ませ視認可能にする微小液滴発生装置と、前記渦輪を射出するための射出口と、前記射出口から前記渦輪を射出するための加圧装置と、前記加圧装置を駆動して前記渦輪を射出するための発射スイッチと、を備え、
前記射出口の口径が１．５ｃｍ以上、５ｃｍ以下であり、前記発射スイッチは前記被伝達者が前記射出口から０．２ｍ以上、１ｍ未満の距離から手動で操作可能であり、前記加圧装置は秒速０．３ｍ以上、秒速１ｍ以下の飛行速度で渦輪を前記射出口から射出することを特徴とする香気伝達装置。
【請求項９】
前記空気砲の外形が、容器を模した形状である請求項７または８に記載の香気伝達装置。
【請求項１０】
前記香気が香料を含む微粒子と湿気とから構成され、前記微小液滴がプロピレングリコールを主成分とする微小液滴である、請求項７から９のいずれか１項に記載の香気伝達装置。
【請求項１１】
前記香気が香料を含む微粒子から構成され、前記微小液滴が水を主成分とする微小液滴であり、前記渦輪に光を照射する光照射装置を備えた、請求項７から９のいずれか１項に記載の香気伝達装置。
【発明の詳細な説明】
【技術分野】
【０００１】
本発明は、空気砲を利用した香気伝達方法および香気伝達装置に関する。
【背景技術】
【０００２】
香料を含ませた渦輪を空気砲から射出し、対象者に香りを届ける技術が知られている。本技術は、離れた場所から対象者のいる場所に向けて、意図した香りを意図した量だけ、所定のタイミングで提示できるという利点がある。一方、飛行する渦輪に乗せて香りを運ぶため、香料は狭い領域（渦輪）に局在し、対象者が香りを嗅ぎにくいという課題がある。渦輪が対象者の鼻周辺にあたらないと、対象者は香りを感じられない。
これに対して、特許文献１には、対象者の鼻の位置を計測する装置と空気砲とを組み合わせ、対象者の鼻めがけて香りを提示する方法が開示されている。また特許文献２には、二つの渦輪を対象者の前で衝突させ、香りを拡散させて対象者に芳香成分を供給する装置が開示されている。
【先行技術文献】
【特許文献】
【０００３】
【特許文献１】特開２００４−８１８５１号公報
【特許文献２】特開２０１０−２２５７７号公報
【発明の概要】
【発明が解決しようとする課題】
【０００４】
しかしながら、上記先行技術文献に係る方法では、香りの嗅ぎやすさが改善された一方で、鼻位置を計測する装置や２台の空気砲を必要とし、装置の複雑化を招く要因となっていた。また、渦輪が大きく広がって、対象者が渦輪中のごく一部の香料しか吸引できず、感知する香りが弱くなることがあった。さらに、渦輪の飛行速度が速すぎると風圧による違和感を対象者が覚える、逆に遅すぎると渦輪が途中で崩壊して対象者まで届かないなどの不便さがあった。
本発明者らは鋭意検討の結果、香気を含む渦輪を視認可能にしたうえで、空気砲の構造、渦輪の飛行速度および空気砲と対象者との位置関係等を最適な数値範囲に設定することによって上記課題を解決できることを見出し、先に特許出願を行った（特願２０１６−１８００２６号）。しかしながら先の発明では、空気砲の射出口と対象者との距離は１ｍ以上、３ｍ以下と規定されており、当該距離が１ｍ未満の場合には適用できなかった。そこで本発明者らは検討を続け、当該距離が１ｍ未満の場合に適用できる最適な数値範囲を見出した。すなわち本発明は、空気砲を備えて構成される簡単な装置を用いて、香りを感じる対象者である被伝達者が空気砲から１ｍ未満の距離にいても、違和感なくかつ嗅ぎやすい形で、感知可能な香りを被伝達者に伝達する香気伝達方法および香気伝達装置に関する。
【課題を解決するための手段】
【０００５】
上記課題を解決するため、本発明の香気伝達方法は、香気を含む渦輪を空気砲から射出することにより前記香気を被伝達者に伝達する香気伝達方法であって、前記空気砲の射出口から０．２ｍ以上、１ｍ未満の距離にいる前記被伝達者に向けて、微小液滴を含ませて視認可能にした渦輪を、口径１．５ｃｍ以上、５ｃｍ以下の前記射出口から秒速０．３ｍ以上、秒速１ｍ以下の飛行速度で射出することを特徴とする。
【０００６】
また、本発明の香気伝達装置は、香気を含む渦輪を空気砲から射出することにより前記香気を被伝達者に伝達する香気伝達装置であって、渦輪に香気を付与する香気発生装置と、前記渦輪に微小液滴を含ませ視認可能にする微小液滴発生装置と、前記渦輪を射出するための射出口と、前記射出口から前記渦輪を射出するための加圧装置と、前記射出口から０．２ｍ以上、１ｍ未満の範囲内のいずれかの位置に前記被伝達者がいるか否かを検出するセンサと、を備え、前記射出口の口径が１．５ｃｍ以上、５ｃｍ以下であり、前記センサが前記位置に前記被伝達者がいることを検出したことに基づいて前記加圧装置が秒速０．３ｍ以上、秒速１ｍ以下の飛行速度で渦輪を前記射出口から射出することを特徴とする。
また、本発明の香気伝達装置は、香気を含む渦輪を空気砲から射出することにより前記香気を被伝達者に伝達する香気伝達装置であって、渦輪に香気を付与する香気発生装置と、前記渦輪に微小液滴を含ませ視認可能にする微小液滴発生装置と、前記渦輪を射出するための射出口と、前記射出口から前記渦輪を射出するための加圧装置と、前記加圧装置を駆動して前記渦輪を射出するための発射スイッチと、を備え、前記射出口の口径が１．５ｃｍ以上、５ｃｍ以下であり、前記発射スイッチは前記被伝達者が前記射出口から０．２ｍ以上、１ｍ未満の距離から手動で操作可能であり、前記加圧装置は秒速０．３ｍ以上、秒速１ｍ以下の飛行速度で渦輪を前記射出口から射出することを特徴とする。
【発明の効果】
【０００７】
上記した本発明によれば、空気砲の射出口から０．２ｍ以上、１ｍ未満の距離にいる被伝達者が違和感なくかつ嗅ぎやすい形で、かつ感知可能な香りを被伝達者に伝達する香気伝達方法および装置を提供することができる。
【図面の簡単な説明】
【０００８】
【図１】本発明の第１実施形態の香気伝達方法および装置を説明するための模式図である。
【図２】図１に示した香気伝達装置の断面を模式的に説明する図である。
【図３】本発明の第２実施形態の香気伝達装置の断面を模式的に説明する図である。
【図４】本発明の第２実施形態に対応する実験装置にかかる香気伝達装置の断面を模式的に説明する図である。
【発明を実施するための形態】
【０００９】
本発明の香気伝達方法について、以下詳細に説明する。
本発明は、香気を含み、更に微小液滴を含ませて視認可能とした渦輪を空気砲から射出することにより香気を被伝達者に伝達する方法である。そして、空気砲の射出口から０．２ｍ以上、１ｍ未満の距離にいる被伝達者に向けて、微小液滴を含ませて視認可能にした渦輪を、口径１．５ｃｍ以上、５ｃｍ以下の射出口から秒速０．３ｍ以上、秒速１ｍ以下の飛行速度で射出する。
【００１０】
（香気）
香気は香料または溶媒に溶かした香料が気化したものまたは微粒子化したエアロゾルである。香気には必要に応じて水を気化または微粒子化した湿気を含ませることもできる。微粒子化した場合の微粒子の直径は、重力による沈降を防ぐ観点から、２０μｍ以下であることが好ましい。
香料としては、公知の香料を特に制限なく用いることができ、たとえば、ペパーミントオイル等の天然物から抽出した天然香料、リモネン等の合成香料、二種以上の公知香料を適宜の割合で混合して得られる香料、メントール等のような常温では固体で昇華性のある香料などがあげられる。また溶媒としてはエタノール、プロピレングリコール、ジプロピレングリコール、ブチレングリコール、クエン酸トリエチル、3-メトキシ-3-メチル-1-ブタノール、トリプロピレングリコールメチルエーテルなどがあげられるが、これらに限定されるものではない。扱い易さの点からエタノールが好適に用いられる。
【００１１】
（微小液滴）
微小液滴は液体を微粒子化したものであり、香気とともに渦輪に含まれて、渦輪を視認可能にするものである。微小液滴は可視光を散乱するため、渦輪は白濁して視認可能になる。これによって被伝達者は渦輪を視覚的に認識できるため香りを嗅ぎやすくなる。このための微小液滴の直径は１μｍ以上、２０μｍ以下が好ましい。直径が１μｍよりも小さいと微小液滴１個あたりの可視光の散乱能が低下し、視認性が低下する。直径が２０μｍよりも大きいと重力により沈降しやすくなる。また、単位体積あたりに充填できる微小液滴の数が減り、可視光の散乱量が低下して視認性が低下する。
微小液滴の原料となる液体としては、たとえばプロピレングリコール、トリプロピレングリコール、1,3-ブチレングリコールなどのグリコール類、グリセリンなどの有機溶媒、水あるいはこれらを複数種混合した溶媒を使うことができる。臭気が少なく、扱い易さの点からプロピレングリコールが好適に用いられる。
【００１２】
本発明においては、香気を、香料または溶媒に溶かした香料の微粒子と湿気とを含んで構成し、当該香気を、プロピレングリコールを主成分とする微小液滴とともに渦輪に含ませることが特に好ましい。主成分とは最も重量比率の多い成分を意味する。気化した香料を香気に用いるよりも微粒子化した香料を用いる方が、渦輪中に高濃度で香料を含ませることができる。しかも気化した香料がプロピレングリコールを主成分とする微小液滴に吸収されて、希釈されるのを抑制できる。また湿気も水の微粒子を含んで構成するのが好ましい。気化した水を湿気に用いるよりも微粒子化した水を用いる方が、気化した水がプロピレングリコールを主成分とする微小液滴に吸収されて、希釈されるのを抑制することができる。以上の結果、被伝達者の香り感知が容易になる。
あるいは微小液滴を、水を主成分とする液体で構成し、微小液滴に湿気を兼ねさせることもできる。こうすれば香気は香料を含み水を実質的に含まない微粒子から構成することができる。このとき渦輪の視認性を向上するために渦輪に光を照射するのが好ましい。
【００１３】
（射出口から被伝達者までの距離）
本発明において、空気砲の射出口から被伝達者までの距離は０．２ｍ以上、１ｍ未満である。当該距離が１ｍ以上である場合の香気伝達方法は、本発明者らが先に出願した特願２０１６−１８００２６号に開示した。本発明は当該距離が１ｍ未満の場合に対するものである。ただし被伝達者が渦輪を視認し鼻を近づけるまでの時間的余裕を担保するため、上記距離は０．２ｍ以上とする。そして、上記の理由により、上記距離は０．３ｍ以上が好ましく、０．３５ｍ以上がより好ましい。
ここで、射出口から被伝達者までの距離とは、射出口の開口中心から被伝達者の鼻までの距離または射出口の開口中心から被伝達者の体表面への最短距離をいう。いずれかの距離が０．２ｍ以上、１ｍ未満であるとき、射出口から被伝達者までの距離が０．２ｍ以上、１ｍ未満であると定義する。
【００１４】
（飛行速度）
渦輪は、秒速０．３ｍ以上、秒速１ｍ以下の飛行速度で射出口から射出される。渦輪が飛行する速度は空気抵抗のため徐々に遅くなるので、本発明では「飛行速度」を、渦輪が射出口から１ｍ先の地点まで飛行する際の平均速度と定義する。具体的には、気体（渦輪の先頭）が射出口から出て、射出口から１ｍ先の地点に到達するまでの時間をｔ秒とすると、飛行速度は１／ｔ［ｍ／秒］で計算される。
射出口から被伝達者までの距離が０．２ｍ以上、１ｍ未満と短いため、渦輪の飛行速度は特願２０１６−１８００２６号に開示されたもの（秒速１ｍ以上、秒速２．５ｍ以下）よりも低速とする。特に秒速１ｍ以下とすることによって、被伝達者が風圧による違和感を覚えることがなくなる。しかも渦輪の飛行速度を秒速０．３ｍ以上、秒速１ｍ以下と低速に抑えることで香気が瞬時に被伝達者を通過してしまうことがなく、香気が被伝達者の周囲に漂うため、被伝達者の香り感知を容易にできる。そして、上記の理由により、渦輪の飛行速度は秒速０．９ｍ以下が好ましく、秒速０．８ｍ以下がより好ましい。また射出口から１ｍ未満の距離にいる被伝達者に対しては、渦輪の飛行速度を秒速０．３ｍ以上とすれば、空気抵抗の影響により渦輪が被伝達者に到達する前に崩れて香気が消散するのを防ぐことができる。そして、上記の理由により、渦輪の飛行速度は秒速０．３５ｍ以上が好ましく、秒速０．４ｍ以上がより好ましい。
【００１５】
（射出量）
射出口から被伝達者までの距離が０．２ｍ以上、１ｍ未満と短いため、射出口から射出する気体の体積（射出量）は特願２０１６−１８００２６号に開示されたもの（３５０ｃｍ３以上、２５００ｃｍ３以下）よりも少量とすることが好ましい。射出する気体の体積は、射出口から０．２ｍ以上、１ｍ未満の距離まで渦輪で運ぶ香気量を担保し、被伝達者の香り感知を容易とする観点から、５０ｃｍ３以上とすることが好ましく、１００ｃｍ３以上とすることがさらに好ましい。また、射出する気体の体積は、香気の伝達効率の低下を防ぐ観点から、５００ｃｍ３以下とすることが好ましく、３５０ｃｍ３以下とすることがさらに好ましい。射出する気体の体積が過剰になると、渦輪の飛行中に渦輪から脱落する香気の量が増え、被伝達者への香気の伝達効率が低下する。また、香気が広範囲に広がって被伝達者に吸引されずに散逸する香気が増え、被伝達者への香気の伝達効率が低下する。
【００１６】
（射出口の口径）
渦輪は射出口（後述する射出口３０：図１参照）から射出される。射出口は、渦輪を空気砲から外部に射出する開口であり、略円形をなしている。射出口の口径（直径）は１．５ｃｍ以上、５ｃｍ以下である。開口が完全な円形でない場合は、開口の内接円の直径を射出口の口径と定義する。また当該円の中心を開口中心と定義する。
前述のように、射出口から射出する気体の体積（射出量）が特願２０１６−１８００２６号に開示されたものより少量なので、射出口の口径も特願２０１６−１８００２６号に開示されたもの（４ｃｍ以上、１５ｃｍ以下）よりも小さくする。特に口径（直径）を５ｃｍ以下とすることにより、渦輪が大きくなって香気が広範囲に広がって薄まるのを防ぎ、被伝達者の香り感知を容易にする。また被伝達者に吸引されずに散逸する香気が減り、被伝達者への香気の伝達効率を高めることができる。そして、上記の理由から、射出口の口径（直径）は、好ましくは４．５ｃｍ以下であり、より好ましくは４ｃｍ以下である。また、口径（直径）が１．５ｃｍ以上であることにより、射出口から０．２ｍ以上、１ｍ未満の距離まで渦輪で運べる気体量（香気の量）を担保でき、被伝達者の香り感知を容易とすることができる。そして、上記の理由から、射出口の口径（直径）は、好ましくは２ｃｍ以上であり、より好ましくは２．５ｃｍ以上である。
【００１７】
（買い物客）
本発明の香気伝達方法は買い物客に対して香気を伝達する際に好適に用いられる。すなわち本発明の香気伝達方法における被伝達者は買い物客とすることができる。前述のように、本発明に使用する空気砲の射出量および射出口の口径は比較的小さいので、空気砲は店内または店頭に据え置けるような小型にすることができる。それゆえたとえば空気砲を商品といっしょに商品棚またはその脇に設置できる。このように設置された空気砲は買い物客に向けて渦輪を射出し、香気を伝達する。ここで買い物客とは物品を買う目的、探す目的、見る目的等で店を訪れた人あるいはその同伴者と定義する。このとき、渦輪の香気を当該商品の香りと同じ又は類似にすると、被伝達者である買い物客に当該商品がどのような香りなのかを伝えることができて好ましい。すなわち本発明の香気伝達方法は、空気砲を店内または店頭に設置し、かつ渦輪が含む香気を、当該店内または店頭に陳列されたいずれかの商品に付与された香りもしくは当該商品に類似する香り、またはいずれかの商品のイメージを表す香りとすることができる。
【００１８】
（光の照射）
本発明の方法においては、渦輪が射出口から射出されて被伝達者まで飛行している途中で渦輪に白色光あるいは非白色光などの光を照射し、渦輪の視認性を向上させてもよい。非白色光を使用すれば、渦輪が着色され、視覚的な美しさも付与される。非白色光とは白色光でない可視光のことであり、赤色、橙色、黄色、黄緑色、緑色、青色、紫色などの色味のついた光を意味する。白色光とは色味をもたない光のことである。光源としては、発光ダイオードやレーザーダイオードが例示される。
【００１９】
射出口から被伝達者まで飛行する渦輪に、光を継続的に照射してもよいし、断続的あるいは一時的に照射してもよい。同時に複数の色の光を照射してもよいし、時間的に色を変えてもよい。渦輪に対して光をあてる方向に特に制限はない。
【００２０】
本発明の香気伝達方法においては、渦輪の飛行が周囲の気流によって妨げられるのを防ぐ目的で風よけ板を設けることもできる。
また、渦輪が射出口から被伝達者まで飛行する経路上において、気流を秒速０．３ｍ未満とすることが好ましい。また、渦輪の視認性を向上させるため、周囲の光（蛍光灯などによる照明光）を弱める遮光板を用いてもよい。
【００２１】
次に、本発明の香気伝達装置について、以下詳細に説明する。
本発明の香気伝達装置は、渦輪に香気を付与する香気発生装置と、渦輪に微小液滴を含ませ視認可能にする微小液滴発生装置と、渦輪を射出するための射出口と、射出口から渦輪を射出するための加圧装置と、射出口から０．２ｍ以上、１ｍ未満の範囲内のいずれかの位置に被伝達者がいるか否かを検出するセンサと、を備え、射出口の口径が１．５ｃｍ以上、５ｃｍ以下であり、センサが上記位置に被伝達者がいることを検出したことに基づいて加圧装置が秒速０．３ｍ以上、秒速１ｍ以下の飛行速度で渦輪を射出口から射出することを特徴とする。
あるいはまた、本発明の香気伝達装置は、渦輪に香気を付与する香気発生装置と、渦輪に微小液滴を含ませ視認可能にする微小液滴発生装置と、渦輪を射出するための射出口と、射出口から渦輪を射出するための加圧装置と、加圧装置を駆動して渦輪を射出するための発射スイッチと、を備え、射出口の口径が１．５ｃｍ以上、５ｃｍ以下であり、発射スイッチは被伝達者が射出口から０．２ｍ以上、１ｍ未満の距離から手動で操作可能であり、加圧装置は秒速０．３ｍ以上、秒速１ｍ以下の飛行速度で渦輪を射出口から射出することを特徴とする。
【００２２】
（香気発生装置）
香気発生装置は、前述の香気を生成する。香気の生成には公知の方法を用いることができ、たとえば加熱による揮散、超音波振動による霧化、送風による放散などを利用することができる。常温で固体の昇華性の香料については、送風による放散を利用し香気を生成できる。
【００２３】
（微小液滴発生装置）
微小液滴発生装置は、前述の微小液滴を生成する。微小液滴の生成には公知の方法を用いることができ、たとえば加熱による揮散、超音波振動による霧化などがあげられる。
【００２４】
（射出口）
渦輪を射出するための好ましい射出口の口径（直径）は前述のとおりである。
【００２５】
（加圧装置）
加圧装置は、前述した所定の飛行速度で渦輪を射出口から射出する。渦輪の飛行速度は、加圧装置の加圧速度によって調整できる。加圧速度を速くすると渦輪の飛行速度は速くなり、加圧速度を遅くすると渦輪の飛行速度は遅くなる。
【００２６】
（センサ）
センサは射出口から０．２ｍ以上、１ｍ未満の範囲内のいずれかの位置に、被伝達者などの物体が存在するか否かを検出する。被伝達者が香気伝達装置に接近して射出口から０．２ｍ以上１ｍ未満の範囲内に入ると、センサは当該範囲内に被伝達者が存在することを検出し、加圧装置を駆動させて射出口から渦輪を射出する。それゆえ、射出口から被伝達者までの渦輪の飛行距離はおよそ０．２ｍ以上１ｍ未満となる。
センサは、香気伝達装置のうち射出口が設けられている側、すなわち渦輪が射出される前面側であって、かつ射出口の開口中心から０．２ｍ以上、１ｍ未満の範囲内の位置（以下、「検出可能位置」という）に被伝達者の体の一部が入っているとき、当該位置に被伝達者がいると検出する。センサには公知の距離センサを用いることができる。たとえば赤外線や可視光線を用いた光学センサ、超音波を利用した超音波センサ、焦電型赤外線センサなどがあげられる。
【００２７】
（発射スイッチ）
香気伝達装置は、センサに加えて、またはセンサと代替的に発射スイッチを備えてもよい。発射スイッチは、人間の手動操作またはセンサからの出力信号による自動操作を受け付けることにより加圧装置を駆動して渦輪を射出するための手段であり、言い換えると渦輪の射出の契機となる手動操作または自動操作を受け付ける手段である。
発射スイッチをセンサが自動操作する場合は、上記のセンサが検出可能位置に被伝達者がいることを検出し、そのことを示す信号を出力すると、発射スイッチはその出力信号を受け付け、自動的に加圧装置を駆動して渦輪を射出する。また、発射スイッチを被伝達者又は第三者（操作者）が手動で操作し、かつセンサが備わっている場合には、被伝達者又は第三者（操作者）が発射スイッチを操作した（オンにした）とき、上記のセンサが検出可能位置に被伝達者がいることを検出していれば発射スイッチの操作を有効と判定して渦輪を射出する。
【００２８】
発射スイッチを被伝達者が手動で操作し、かつセンサが備わっていない場合には、発射スイッチは射出口から０．２ｍ以上、１ｍ未満の距離から操作可能な位置に配置することが好ましい。発射スイッチは、香気伝達装置のうち射出口が設けられている側（後述する図３の例においては、左側）に配置されているのが好ましい。これにより、被伝達者が手を伸ばすなどして発射スイッチを操作したとき、被伝達者は射出口の前方に正対し、かつ射出口から０．２ｍ以上、１ｍ未満の位置にいることになる。それゆえ、射出口から射出された渦輪が被伝達者まで飛行する距離はおよそ０．２ｍ以上１ｍ未満となる。
被伝達者のへそが射出口の開口中心から０．２ｍ以上、１ｍ未満の位置にある状態で、手を伸ばすなどして発射スイッチを操作できるとき、発射スイッチは射出口から０．２ｍ以上、１ｍ未満の距離から操作可能であると定義する。
【００２９】
（空気砲の外形）
本発明の香気伝達装置は商品の香りと同じ又は類似の香りの香気を被伝達者に伝達する際に好適に用いられる。このとき空気砲の外形は当該商品の容器を想起する形状とすることが好ましい。このため、空気砲の外形は容器を模した形状であることが好ましい。これにより、被伝達者は空気砲の外形を見て商品またはその容器を想起しつつ渦輪の香りを嗅ぐので、当該商品と香りを結びつけることができる。このように香気伝達装置は被伝達者に印象的に商品の香りを伝える香り見本の役割を演じる。さらに商品が液体状の製剤を容器の噴射口から噴射して使用する商品である場合には、射出口を噴射口に対応する位置に設けることが好ましい。渦輪の射出が商品における製剤の噴射を想起させ、エンタテイメント性が高まる。
商品の容器を模した形状とは、空気砲の外形の部分または全体が当該商品の容器の部分または全体と類似の形状を持つことをいう。必ずしも合同の形状を持つ必要はなく、相似の形状あるいは容器を想起できれば多少変形した形状であってもよい。また空気砲の表面には商品の容器と同様の色彩やデザインが施されていることが想起を容易にして好ましい。
【００３０】
（光照射装置）
香気伝達装置は光照射装置を備えてもよい。光照射装置は、渦輪が射出口から被伝達者まで飛行している途中で渦輪に白色光あるいは非白色光などの光を照射し、渦輪の視認性を向上させる。光照射装置は発光ダイオード、レーザーダイオードなどの光源とそれを駆動するための電源等から構成される。
【００３１】
以下、本発明の好ましい第１実施形態を図面に基づいて説明する。なお、すべての図面において、同様の構成要素には同様の符号を付し、重複する説明は適宜省略する。また、上述した、（香気）、（微小液滴）、（射出口から被伝達者までの距離）、（射出口の口径）、（買い物客）、（飛行速度）、（射出量）、（光の照射）、（香気発生装置）、（微小液滴発生装置）、（射出口）、（加圧装置）、（センサ）、（発射スイッチ）、（空気砲の外形）、（光照射装置）に関する説明は第１実施形態にもほぼそのまま適用され、重複する説明は適宜省略する。
【００３２】
＜第１実施形態＞
図１および図２はそれぞれ、本発明の第１実施形態の香気伝達装置１０の全体構成を示した模式図（透視図）および香気伝達装置１０の断面を模式的に説明する図である。図１においては香気伝達装置１０の外形を太い実線で示し、内部構造を細い実線で示す。ただし香気発生装置４１および配管４４、４５、４６の一部については破線で示す。また、図２においては、香気伝達装置１０の内部構造の一部についてハッチングを省略する。図３に示す香気伝達装置１１０および図４に示す香気伝達装置２１０に関しても同様とする。
【００３３】
香気伝達装置１０は、商品の容器を模した模型部２０と直方体形状の台座部２１とで構成される空気砲１１を備える。被伝達者（図示せず）は商品の容器を模した模型部２０を見ながら、空気砲１１の射出口３０から矢印Ｄの方向に射出された渦輪１２の香りを嗅ぐ。
【００３４】
模型部２０は内部が空洞に形成され、射出口３０と通気口３２がそれぞれ外部と連通して設けられている。空洞状の模型部２０の内部の上方は気体充填槽４０として用いられる。模型部２０の内部の下方には加圧装置５０およびセンサ６１が収容されている。また台座部２１には、香気発生装置４１、湿気発生装置４２、微小液滴発生装置４３、駆動装置６０が収容されている。模型部２０と台座部２１との間には、香気発生装置４１で生成された香気を気体充填槽４０内に送るための配管４４、湿気発生装置４２で生成された湿気を気体充填槽４０内に送るための配管４５、および微小液滴発生装置４３で生成された微小液滴を気体充填槽４０内に送るための配管４６が接続されている。
模型部２０の表面には商品の容器と同様の色彩やデザインが施されている。台座部２１は内部を目視で透視できない遮光性の部材で形成されており、被伝達者は台座部２１内に収容された香気発生装置４１、湿気発生装置４２、微小液滴発生装置４３、駆動装置６０等を視認できないようになっている。
【００３５】
模型部２０はヘッド部２６と、その先端側に形成された筒状部２２を有している。射出口３０は模型部２０の筒状部２２の先端に開口形成されている。本実施形態の模型部２０はスプレー容器を模したものであり、すなわち模型部２０が想起させる商品はレバーを手で握って液体状の製剤を容器の噴射口から噴射して使用する液剤入りスプレー容器である。射出口３０は容器の噴射口に対応する位置に設けられている。また、模型部２０はヘッド部２６の下方にレバー部２７を有している。このため、渦輪１２の射出が商品における製剤の噴射を想起させるようになっている。ただしこのレバー部２７はスプレー容器を想起させるためのものであり握って動作させるものではないため、ヘッド部２６に対して固定的に形成されていてよい。射出口３０には気体を射出する期間にのみ開くシャッタ３１が設けられている。射出口３０をシャッタ３１でふさぐことによって、香気が射出口３０から外部に漏れることを低減できる。
【００３６】
気体充填槽４０は、香気と微小液滴を含んだ空気を保持する。香気は香料と必要に応じて水分を含んで構成される。気体充填槽４０に保持された気体の一部が射出口３０から矢印Ｄの方向に射出されて渦輪１２を形成し、被伝達者まで伝搬する。
【００３７】
弾性膜５１は模型部２０の内部の空洞を二つに仕切るように配置され、気体充填槽４０の底面を形成している。模型部２０の中間高さに固定部２８（図２参照）が形成されており、弾性膜５１は固定部２８に取り付けられている。図１においては固定部２８を図示省略している。配管４４、４５、４６の上端は気体充填槽４０に開口している。
【００３８】
加圧装置５０は気体充填槽４０内の気体を加圧し、気体を射出口３０から外部へ射出する。射出された気体は渦輪１２を形成する。図１の場合、加圧装置５０は駆動装置６０によって電気的に駆動されて、着脱可能な接合部５２、５３を通して弾性膜５１を下方すなわち射出口３０から遠ざかる方向に牽引し、その後に弾性膜５１を解放する。たとえば、接合部５２には磁性体を、接合部５３には電磁石を用いることができる。すなわち、加圧装置５０は弾性膜５１に固定された接合部５２と加圧装置５０に固定された接合部５３とが接合した状態で弾性膜５１を下方に牽引し、弾性膜５１を延伸する。その後、接合部５２と接合部５３との接合を解き、弾性膜５１を解放すると、弾性膜５１は弾性的復元力によって収縮し、気体が加圧される。加圧装置５０としては、これに限らず公知のものを特に制限なく用いることができ、たとえば電磁式やピストン式等のエアーポンプを用いる方法、スプリングの弾性的復元力を利用する方法などがあげられる。弾性膜５１が収縮すると、気体充填槽４０の内部はヘッド部２６および筒状部２２に至るまで加圧される。シャッタ３１が開いた状態で気体充填槽４０は射出口３０のみを通じて外部と連通しているため、気体充填槽４０の内部の気体を加圧すると、この気体の一部が射出口３０から射出され渦輪１２を形成する。
第１実施形態においては、渦輪１２が秒速０．３ｍ以上、秒速１ｍ以下の飛行速度で伝搬するように加圧装置５０の加圧速度を調整し、気体（渦輪）を射出する。
加圧装置５０の周囲が気密になっていると弾性膜５１の収縮による気体の加圧が阻害されるので、模型部２０には空気の出入りのための通気口３２が設けられている。通気口３２は模型部２０の背面２５のうち、気体充填槽４０とは連通しない位置に開口形成されている。開口は略矩形状をしている。
【００３９】
香気発生装置４１は駆動装置６０によって電気的に駆動されて、香気を生成し、香気を気体充填槽４０内に充填する。香気は香料または溶媒に溶かした香料が気化または微粒子化したものである。香気には必要に応じて水を気化または微粒子化した湿気を含ませることもできる。
【００４０】
香気発生装置４１は香料または溶媒に溶かした香料から香気を生成する。香料または溶媒に溶かした香料は香気発生装置４１内の貯蔵容器（図示せず）に貯蔵されている。香気の生成には公知の方法を用いることができ、たとえば加熱による揮散、超音波振動による霧化、送風による放散などを利用することができる。常温で固体の昇華性の香料については、固体の状態で香気発生装置４１内の貯蔵容器に貯蔵し、送風による放散を利用し香気を生成できる。生成された香気は配管４４を通して気体充填槽４０内に送られる。
香気発生装置４１は湿気発生装置４２を備えていてもよい。湿気発生装置４２は湿気を生成し、湿気を気体充填槽４０内に充填する。湿気は水が気化または微粒子化したものである。水は湿気発生装置４２内の水用貯蔵容器（図示せず）に貯蔵されている。水には抗菌剤を添加してもよい。抗菌剤としては臭気が少なく、扱い易さの点からエタノールが好適に用いられる。
【００４１】
湿気の生成には公知の方法を用いることができ、たとえば加熱による揮散、超音波振動による霧化などがあげられる。生成された湿気は配管４５を通して気体充填槽４０内に送られる。このようにして生成された湿気を香気に含ませることよって香りの質を変えることができる。特に、香りの質を天然物の匂いに近い自然な感じの香りに変えるという観点からは、気体充填槽４０内の相対湿度を７０％以上にすることが好ましい。
【００４２】
微小液滴発生装置４３は駆動装置６０によって電気的に駆動され、渦輪１２を視認可能にするための微小液滴を生成し、微小液滴を気体充填槽４０内に充填する。第１実施形態においては、微小液滴を香気とともに渦輪１２に含ませ、渦輪１２を視認可能にする。微小液滴は可視光を散乱するため、渦輪は白濁し視認可能になる。微小液滴の原料となる液体は微小液滴発生装置４３内の液滴用貯蔵容器（図示せず）に貯蔵されている。微小液滴の生成には公知の方法を用いることができ、たとえば加熱による揮散、超音波振動による霧化などがあげられる。生成された微小液滴は配管４６を通して気体充填槽４０内に送られる。
第１実施形態において、香気は渦輪１２が商品と同じ香りまたは類似する香りになるように香料の量、配合等が調整されている。被伝達者は、商品の容器の模型部２０をみながら、白濁して視認可能になって飛んでくる渦輪１２の香りを嗅ぎ、その商品がどのような香りなのかを知ることができる。本発明の香気伝達装置は店内、店頭、イベント等で被伝達者に印象的に商品の香りを伝える香り見本の役割を演じることができる。
【００４３】
駆動装置６０は電気ケーブル（図示せず）を通して加圧装置５０、香気発生装置４１、湿気発生装置４２、微小液滴発生装置４３、シャッタ３１に接続され、各装置を電気的に制御、駆動し、上記動作を行わせる。香気伝達装置１０の電源（図示せず）が入ると、駆動装置６０はシャッタ３１を閉じ、加圧装置５０に弾性膜５１を牽引させ、弾性膜５１が延伸した状態で待機させる。そして、香気発生装置４１、湿気発生装置４２、微小液滴発生装置４３に香気および微小液滴を発生させ、それらを気体充填槽４０に充填する。
【００４４】
本実施形態の香気伝達装置１０は、発射スイッチ（図示せず）を有している。駆動装置６０は発射スイッチと接続され、発射スイッチが操作される（オンになる）とシャッタ３１を開くと同時に、加圧装置５０の接合部５２と接合部５３との接合を解き、弾性膜５１を解放する。弾性膜５１は弾性的復元力によって収縮し、気体が加圧され、射出口３０から渦輪が射出される。射出が終了すると、駆動装置６０はシャッタ３１を閉じ、再び加圧装置５０に弾性膜５１を牽引させ、弾性膜５１が延伸した状態で待機させる。そして香気発生装置４１、湿気発生装置４２、微小液滴発生装置４３に香気および微小液滴を発生させ、それらを気体充填槽４０に充填する。この動作を繰り返すことにより、香気伝達装置１０は繰り返し渦輪１２を射出する。なお発射スイッチが操作されてから渦輪１２の射出を開始するまでの時間間隔は任意に設定することができる。たとえば商品の広告映像等を映像表示装置（図示せず）によって被伝達者に視聴させる場合には、映像の内容に合わせて渦輪１２の射出のタイミングを決めることができる。
【００４５】
また、香気伝達装置１０はセンサ６１を有している。センサ６１の検知部６２は模型部２０の前面２４（射出口３０を正面に見る面）に配置されている。センサ６１には公知の距離センサを用いることができる。たとえば赤外線や可視光線を用いた光学センサ、超音波を利用した超音波センサ、焦電型赤外線センサなどがあげられる。センサ６１が光学センサまたは赤外線センサである場合、検知部６２は受発光部であり、センサ６１が超音波センサである場合、検知部６２は超音波の送受信部である。センサ６１は射出口３０から０．２ｍ以上、１ｍ未満の範囲内のいずれかの位置（検出可能位置）に被伝達者がいるか否かを検出し、検出可能位置に被伝達者がいることを検出したら発射スイッチを操作する（オンにする）。これによって、前述のように駆動装置６０が加圧装置５０とシャッタ３１を駆動し、渦輪１２を射出する。渦輪１２は被伝達者が手動で発射スイッチを操作しなくても自動的に射出されることになる。渦輪が射出されてから一定時間経過した後、センサ６１は再び検出可能位置に被伝達者がいるか否かを検出しはじめ、検出可能位置に被伝達者がいることを検出したら発射スイッチを操作する（被伝達者がいないことを検出している間は発射スイッチを操作しない）。以後、この動作を繰り返す。上記の一定時間は任意に設定することができるが、駆動装置６０が気体充填槽４０に香気および微小液滴を充填するのに必要な時間よりも長くする。
【００４６】
発射スイッチは被伝達者又は第三者が手動で操作するようにしてもよい。すなわち、被伝達者又は第三者が渦輪１２を射出したいときに発射スイッチを操作する（オンにする）ようにしてもよい。この場合、センサ６１が検出可能位置に被伝達者がいることを検出する第一条件と、被伝達者又は第三者によって発射スイッチが操作される第二条件とが両立した場合に、発射スイッチの操作を有効とするとよい。これを受け、駆動装置６０が渦輪１２を射出する。これによって香気伝達装置１０は射出口３０から０．２ｍ以上、１ｍ未満の距離にいる被伝達者に向けて渦輪１２を射出する。
センサ６１による被伝達者の検出のタイミングと発射スイッチが操作を受け付けるタイミングの前後は特に限定されない。
すなわち、発射スイッチが操作を受け付けるか否かにかかわらずセンサ６１は検出可能位置に被伝達者がいるか否かを常時検出しておき、センサ６１が検出可能位置に被伝達者を検出したもとで（第一条件の成立のもとで）、発射スイッチが操作を受け付けた（第二条件が成立した）場合に、駆動装置６０は発射スイッチの操作を有効と判定して渦輪１２を射出してもよい。言い換えると、センサ６１が検出可能位置に被伝達者がいないことを検出した場合、すなわちセンサ６１が検出可能位置に被伝達者がいることを検出していない間は、発射スイッチの操作を無効とし、駆動装置６０は渦輪１２を射出しない。
または、発射スイッチが操作を受け付けるまでセンサ６１を停止しておき、発射スイッチが操作を受け付けたこと（第二条件の成立）に基づいてセンサ６１を作動させ、そしてセンサ６１が被伝達者を検出したこと（第一条件の成立）を受けて、駆動装置６０が渦輪１２を射出してもよい。この場合、発射スイッチが操作を受け付けるまでセンサ６１を停止しておくことができるため消費電力を低減することができる。
【００４７】
第１実施形態において、渦輪１２が射出口３０から被伝達者まで飛行している途中で、光照射装置（図示せず）から渦輪１２に光を照射し、渦輪１２の視認性を向上させてもよい。光照射装置の光源は模型部２０または台座部２１の内部に配置されていてもよく、または模型部２０や台座部２１の外部に配置されていてもよい。特に微小液滴が水を主成分とする微小液滴である場合に光照射は有効であり、渦輪１２の視認性が大きく向上する。光照射装置からの光の照射は、渦輪１２の射出のタイミングに関わらず常時行ってもよいし、渦輪１２が射出されたときだけ行ってもよい。前者の場合、光照射装置は渦輪１２の飛行する経路またはその一部に光を照射しつづける。後者の場合、光照射装置は駆動装置６０と電気的に接続されており、駆動装置６０が加圧装置５０を駆動して渦輪１２を射出する動作と連動して光照射装置を駆動し、渦輪１２に光を照射するとよい。光照射装置は光を飛行中の渦輪１２に継続的に照射してもよいし、飛行中の渦輪１２に対して断続的あるいは一時的に光を照射してもよい。
【００４８】
第１実施形態の香気伝達装置１０によれば、空気砲１１の射出口３０から０．２ｍ以上、１ｍ未満の距離にいる被伝達者に向けて、微小液滴を含ませて視認可能にした渦輪を、口径１．５ｃｍ以上、５ｃｍ以下の射出口３０から秒速０．３ｍ以上、秒速１ｍ以下の飛行速度で射出する香気伝達方法を実施することができる。被伝達者は射出口３０から０．２ｍ以上、１ｍ未満の距離にいることによって、商品の容器の模型部２０をみながら、白濁して視認可能になって自動的に飛んでくる渦輪１２の香りを嗅ぎ、その商品がどのような香りなのかを知ることができる。このように香気伝達装置１０は店内、店頭、イベント等で被伝達者に印象的に商品の香りを伝える香り見本の役割を演じることができる。さらに当該商品は液体状の製剤を容器の噴射口から噴射して使用する商品であり、射出口３０は噴射口に対応する、模型部２０上の位置に設けられている。このため、渦輪１２の射出が商品における製剤の噴射を想起させ、高いエンタテイメント性を有する。
【００４９】
＜第２実施形態＞
図３は、本発明の第２実施形態の香気伝達装置１１０の断面を模式的に説明する図である。香気伝達装置１１０は、模型部２０の前面２４（射出口３０を正面に見る面）に発射スイッチ６３を配置した点と、センサ６１およびその検知部６２を備えていない点で第１実施形態の香気伝達装置１０と相違している。第１実施形態における、気体充填槽４０，射出口３０、加圧装置５０、香気発生装置４１、湿気発生装置４２、微小液滴発生装置４３、駆動装置６０に関する説明は、第２実施形態にもそのまま適用される。
第２実施形態では、被伝達者が模型部２０の前面２４に設けられた発射スイッチ６３を手動で操作して、渦輪を射出する。前述のように、発射スイッチ６３が操作される（オンになる）と駆動装置６０が加圧装置５０とシャッタ３１を駆動して渦輪を射出する。
発射スイッチ６３は模型部２０の前面２４に設けられているため、被伝達者が射出口３０から０．２ｍ以上、１ｍ未満の距離から手を伸ばして操作可能になっている。それゆえ発射スイッチ６３を手動で操作したとき、被伝達者は射出口３０からおよそ０．２ｍ以上、１ｍ未満の距離にいることになり、香気伝達装置１１０はこの距離にいる被伝達者に向けて渦輪を射出する。
【００５０】
第２実施形態の香気伝達装置１１０によれば、被伝達者の存在を検出するセンサを備えていなくても、空気砲１１の射出口３０から０．２ｍ以上、１ｍ未満の距離にいる被伝達者に向けて、微小液滴を含ませて視認可能にした渦輪を、口径１．５ｃｍ以上、５ｃｍ以下の射出口３０から秒速０．３ｍ以上、秒速１ｍ以下の飛行速度で射出する香気伝達方法を実施することができる。被伝達者は射出口３０から０．２ｍ以上、１ｍ未満の距離で発射スイッチ６３を手動で操作することによって、商品の容器の模型部２０をみながら、白濁して視認可能になって飛んでくる渦輪の香りを嗅ぎ、その商品がどのような香りなのかを知ることができる。このように香気伝達装置１１０は店内、店頭、イベント等で被伝達者に印象的に商品の香りを伝える香り見本の役割を演じることができる。さらに当該商品は液体状の製剤を容器の噴射口から噴射して使用する商品であり、射出口３０は噴射口に対応する、模型部２０上の位置に設けられている。このため、渦輪の射出が商品における製剤の噴射を想起させ、高いエンタテイメント性を有する。
【００５１】
第１実施形態の香気伝達装置１０および第２実施形態の香気伝達装置１１０は、以上の構成に限定されるものではない。たとえば、香気発生装置４１、湿気発生装置４２、微小液滴発生装置４３、駆動装置６０のすべてまたは一部を模型部２０に収容することもできる。あるいは空気砲の構成要素（装置）をすべて模型部２０に収容し、台座部２１を省略することもできる。また射出口３０を模型部２０の筒状部２２の先端以外の場所、すなわち容器の噴射口に対応する位置以外の場所に設けてもよい。
また、本実施形態では発射スイッチが操作されるまで、弾性膜５１を延伸して気体充填槽４０に香気および微小液滴を充填した状態で待機したが、発射スイッチが操作されたのちに弾性膜５１の牽引を開始し、また気体充填槽４０に香気と微小液滴の充填を開始する構成にしてもよい。また、第１実施形態においてはセンサ６１が検出可能位置に被伝達者の存在をひとたび検出した場合に渦輪１２を連続的に複数回射出してもよい。同様に、第２実施形態においては１回の発射スイッチの手動操作に対し、渦輪を連続的に複数回射出してもよい。第２実施形態の香気伝達装置１１０においては、発射スイッチ６３は射出口３０から０．２ｍ以上、１ｍ未満の距離から操作可能であれば、模型部２０の前面２４以外の場所に配置してもよい。たとえば模型部２０の側面に配置することもできる。
また本実施形態では香気伝達装置を商品と関連付けて構成したが、本発明の使途はそれに限らない。たとえば模型部２０は商品の容器以外の形状でもよいし、渦輪に商品の香り以外の香りを付与してもよい。
【００５２】
（実施例・比較例）
図４は、第２実施形態の香気伝達装置に対応する実験装置にかかる香気伝達装置２１０の断面を模式的に説明する図である。表１、表２および表３は、図４に示した香気伝達装置２１０を用いて、被伝達者が感じる香りの強度と香りの感知性（違和感と嗅ぎやすさ）を複数の条件下で評価した実験結果を示すものである。ここで、香りの感知性とは被伝達者が渦輪の香りを感知しやすいか否かを示し、渦輪の風圧による違和感の有無や渦輪の香りの嗅ぎやすさを示す指標である。図４に示す実験装置にかかる香気伝達装置２１０は、手動操作される発射スイッチ６３を射出口３０と同一の前面２４側に備える点で第２実施形態の香気伝達装置１１０（図３参照）に対応する。また、この香気伝達装置２１０は、模型部２０を直方体形状の方形部２３に変更した点と、射出口３０が口径の異なるものと取り換え可能になっている点と、発射スイッチ６３を台座部２１に配置した点で香気伝達装置１１０と相違している。この変更に伴い、弾性膜５１は射出口３０と平行（図４では上下方向）に配置され、加圧装置５０による弾性膜５１の牽引方向は水平方向に変更されている。また、通気口３２は方形部２３の上面に配置され、射出口３０は方形部２３の前面２４の略中央に設けられている。また発射スイッチ６３は台座部２１の前面２４に設けられているため、被伝達者が射出口３０から０．２ｍ以上、１ｍ未満の距離から手を伸ばして操作可能になっている。被伝達者は顔を射出口３０とほぼ正対させて、矢印Ｄの方向に射出される渦輪の香りを嗅ぐ。
【００５３】
表１から表３のいずれにおいても、複数の条件で行った実験の各々をＡからＰの表記で特定している。
表１から表３では、香りの強度を以下の基準で表している。
◎  強い香りを感じる
○  香りを感じる
△  弱い香りを感じる
×  香りを感じない
具体的には、６段階臭気強度表示法（０：無臭、１：やっと感知できるにおい、２：何のにおいであるかわかる弱いにおい、３：楽に感知できるにおい、４：強いにおい、５：強烈なにおい）によるにおい強度のスコアが、０以上１未満のとき×、１以上２．５未満のとき△、２．５以上３．５未満のとき〇、３．５以上のとき◎とした。これらスコアは、３名の被伝達者がそれぞれ６段階臭気強度評価を３回繰り返し、それらの数値の平均値として求めた。
また、香りの感知性（違和感と嗅ぎやすさ）を以下の基準で表している。
○  香りを感知しやすい
△  香りを感知することができる
×  香りを感知しにくい
具体的には、（１）渦輪が顔にあたったとき風圧による違和感を覚える、（２）渦輪を視認して鼻を近づける時間的余裕がない、（３）香りを感じられる時間が短い（香気が瞬時に通過してしまい、吸気に合わせにくい）、のいずれか一つにでも該当するときを「×」とした。また、上記（１）〜（３）のどれにも該当せず、かつ（４）渦輪の広がりが大きく、渦輪の一部の香りしか嗅げないときを「△」とした。そして、上記（１）〜（４）のどれにも該当せず香りを嗅げるときを「〇」とした。これらの評価を３名の被伝達者がそれぞれ３回繰り返して、〇、△、×を判定し、最も多い判定を最終的な感知性（〇、△、×）とした。なお香りの強度が×の判定であったものについては、香りの感知性の評価ができないため記号「−」を記入した。
【００５４】
表１は、射出口と被伝達者との距離をパラメータとし、射出口の口径を４ｃｍ、渦輪の飛行速度を秒速０．６ｍ、射出される気体の体積を約２５０ｃｍ３に固定した実験の結果を示す表である。射出口と被伝達者との距離を、実験Ａでは０．１ｍ、実験Ｂでは０．３ｍ、実験Ｃでは０．５ｍ、実験Ｄでは１ｍ、実験Ｅでは１．５ｍとした。また、使用香料はフルーティ系の香料であり、湿気（超音波振動で微粒子化した水）とプロピレングリコールを主成分とする微小液滴を添加した。なお実験Ａについては被伝達者と発射スイッチとの距離が近すぎ、また実験Ｅについては当該距離が遠すぎ、被伝達者が発射スイッチを操作しにくいので第三者が操作した。
表１に示す結果によれば、射出口と被伝達者との距離が近づくほど香りの強度は強くなる一方で、実験Ａのように射出口と被伝達者との距離が近すぎると飛んでくる渦輪を視認する時間的余裕がないため香りの感知性が低下した。射出口と被伝達者との距離が０．２ｍから１ｍの実験Ｂ、実験Ｃおよび実験Ｄの条件において、被伝達者が渦輪の香りを比較的簡易に感知できることがわかった。
【００５５】
【表１】
2019154627.tif 000003
【００５６】
表２は、渦輪の飛行速度をパラメータとし、射出口と被伝達者との距離を０．５ｍ、射出口の口径を４ｃｍ、射出される気体の体積を約２５０ｃｍ３に固定した実験の結果を示す表である。渦輪の飛行速度を、実験Ｆでは秒速０．２ｍ、実験Ｇでは秒速０．４ｍ、実験Ｈでは秒速０．６ｍ、実験Ｉでは秒速０．８ｍ、実験Ｊでは秒速１．５ｍ、実験Ｋでは秒速２ｍとした。また、使用香料はフルーティ系の香料であり、湿気（超音波振動で微粒子化した水）とプロピレングリコールを主成分とする微小液滴を添加した。
表２に示す結果によれば、渦輪の飛行速度が遅すぎる実験Ｆでは、飛行の途中で渦輪が崩れ、香りの強度が低下する。一方、渦輪の飛行速度が速すぎる実験Ｊ，実験Ｋでは風圧による違和感を覚えるとともに香りを感じられる時間が短くなり、香りの感知性が低下した。渦輪の飛行速度が秒速０．３ｍ以上、秒速１ｍ以下の実験Ｇ、実験Ｈおよび実験Ｉの条件において、被伝達者が渦輪の香りを比較的簡易に感知できることがわかった。
【００５７】
【表２】
2019154627.tif 000004
【００５８】
表３は、射出口の口径をパラメータとし、渦輪の飛行速度を秒速０．６ｍ、射出口と被伝達者との距離を０．５ｍ、射出される気体の体積を約２５０ｃｍ３に固定した実験の結果を示す表である。射出口の口径を、実験Ｌでは１ｃｍ、実験Ｍでは２ｃｍ、実験Ｎでは３ｃｍ、実験Ｏでは５ｃｍ、実験Ｐでは７ｃｍとした。また、使用香料はフルーティ系の香料であり、湿気（超音波振動で微粒子化した水）とプロピレングリコールを主成分とする微小液滴を添加した。
表３に示す結果によれば、射出口の口径が１．５ｃｍ未満で小さすぎる実験Ｌでは渦輪が運べる香気の量が少なく、香りの強度が低下した。一方、射出口の口径が５ｃｍを超えて大きすぎる実験Ｐでは香気が広がり香りの感知性が低下した。そして射出口の口径が１．５ｃｍ以上５ｃｍ以下の実験Ｍ、実験Ｎおよび実験Ｏの条件において、被伝達者が渦輪の香りを比較的簡易に感知できることがわかった。
【００５９】
【表３】
2019154627.tif 000005
【００６０】
以上の実験結果から、本発明の香気伝達方法および香気伝達装置によれば、口径１．５ｃｍ以上５ｃｍ以下の射出口から秒速０．３ｍ以上、秒速１ｍ以下の飛行速度で渦輪を射出することで、射出口から０．２ｍ以上１ｍ未満の距離にいる被伝達者が違和感なくかつ嗅ぎやすい形で、感知可能な強度の香りを被伝達者に伝達できることがわかった。
【００６１】
本発明は上述の実施形態に限定されるものではなく、本発明の目的が達成される限りにおける種々の変形、改良等の態様も含む。
【符号の説明】
【００６２】
１０，１１０,２１０・・・香気伝達装置
１１・・・空気砲
１２・・・渦輪
２０・・・模型部
２１・・・台座部
２２・・・筒状部
２３・・・方形部
２４・・・前面
２５・・・背面
２６・・・ヘッド部
２７・・・レバー部
２８・・・固定部
３０・・・射出口
３１・・・シャッタ
３２・・・通気口
４０・・・気体充填槽
４１・・・香気発生装置
４２・・・湿気発生装置
４３・・・微小液滴発生装置
４４、４５、４６・・・配管
５０・・・加圧装置
５１・・・弾性膜
５２，５３・・・接合部
６０・・・駆動装置
６１・・・センサ
６２・・・検知部
６３・・・発射スイッチ
【図１】
2019154627.tif 000006
【図２】
2019154627.tif 000007
【図３】
2019154627.tif 000008
【図４】
2019154627.tif 000009